(57)【要約】      （修正有）【課題】クッション性に優れた身体載置装置を提供する。【解決手段】身体載置装置（１）は、支持枠（３）と、当該支持枠によって支持され所定方向に離して配された複数の支持片と、当該支持片各々の上面に設けられたクッション材と、当該クッション材の上に架け渡され当該支持片長手方向に密着状態で並列載置された複数の可動板（９）と、を含めて構成してある。当該可動板各々は、上から外力を受けたときに当該クッション材の弾性により他の可動板から独立して復帰可能に下降する。これにより、身体の重さ及び形状にあった凹凸を形成し、適度なクッション性が得られることから、身体に過度な負担がかからず、良好な寝心地を実現することができる。【選択図】図１
2012016502.tif 000002
【特許請求の範囲】
【請求項１】
支持枠と、
当該支持枠によって支持され所定方向に離して配された複数の支持片と、
当該支持片各々の上面に設けられたクッション材と、
当該クッション材の上に架け渡され当該支持片長手方向に密着状態で並列載置された複数の可動板と、を含めて構成してあり、
当該可動板各々は、上から外力を受けたときに当該クッション材の弾性により他の可動板から独立して復帰可能に下降するように構成してある
ことを特徴とする身体載置装置。
【請求項２】
前記可動板各々には、上下に貫通する通風孔若しくは通風切り欠きを形成してある
ことを特徴とする請求項１記載の身体載置装置
【請求項３】
前記可動板の代わりに棒材を用いてある
ことを特徴とする請求項１記載の身体載置装置。
【請求項４】
前記棒材各々には、隣接する棒材との間に隙間を形成するためのスペーサーを設けてある
ことを特徴とする請求項３記載の身体載置装置。
【請求項５】
ベッド若しくは椅子である
ことを特徴とする請求項１ないし４いずれか記載の身体載置装置。
【発明の詳細な説明】
【技術分野】
【０００１】
本発明は、人が座るための椅子や寝るためのベッドに代表される身体載置装置に関するものである。更に詳しくは、クッション性に優れた身体載置装置に関するものである。
【背景技術】
【０００２】
特許文献１が開示するベッドによれば、下板部材と上板部材との間に、クッション性材料で構成された接着シートが配されている。接着シートの存在により下板と上板の間に隙間が形成され、この隙間の存在により上板部材の長さ方向の両端部分または中央部分が下板側へ弾性変形するように構成されている。
【先行技術文献】
【特許文献】
【０００３】
【特許文献１】特開平９−２５２８８１号公報（段落００１２以下参照）
【発明の概要】
【発明が解決しようとする課題】
【０００４】
しかし、上記のようにして使用されるベッドには次のような課題があった。すなわち、弾性変形する上板とクッション材という弾性係数の異なる２種類の部材によって身体が支えられることになるため、思うようなクッション性が得られない恐れがある。したがって、その上に寝た者が寝心地の悪さを感じてしまうことが考えられる。本発明はそのような課題を解決するものであって、弾性係数を1種類とすることにより、寝心地や座り心地等を良好に保つことのできる身体載置装置を提供することにある。
【課題を解決するための手段】
【０００５】
上記課題を解決するために講じた本発明の手段は次のとおりである。なお、いずれかの請求項記載の発明を説明するに当たって行う用語の定義等は、その性質上可能な範囲において他の請求項記載の発明にも適用があるものとする。
【０００６】
（請求項１記載の発明の特徴）
請求項１記載の発明に係る身体載置装置（以下、適宜「請求項１の載置装置」という）は、支持枠と、当該支持枠によって支持され所定方向に離して配された複数の支持片と、当該支持片各々の上面に設けられたクッション材と、当該クッション材の上に架け渡され当該支持片長手方向に密着状態で並列載置された複数の可動板と、を含めて構成してある。ここで、当該可動板各々は、上から外力を受けたときに当該クッション材の弾性により他の可動板から独立して復帰可能に下降するように構成してある。
【０００７】
請求項１の載置装置によれば、複数の支持片は支持枠によって支持され、各可動板はクッション材を介して各支持片によって支持される。可動板各々は上から外力を受けたとき、すなわち、身体の部位の重さが加わったときにクッション材の復帰力に抗しながら沈み重さが除かれたときに復帰力によって元の位置に復帰する。可動板同士は独立しているから、加わった重みに応じてその沈み具合が異なる。すなわち、可動板の集合体上面は、載置された身体の形状に合った凹凸が形成され、良好な寝心地座り心地等を実現する。
【０００８】
（請求項２記載の発明の特徴）
請求項２記載の発明に係る身体載置装置（以下、適宜「請求項２の載置装置」という）は、請求項１の載置装置であって、前記可動板各々には、上下に貫通する通風孔若しくは通風切り欠きを形成してある。
【０００９】
請求項２の載置装置によれば、請求項１の載置装置の作用効果に加え、通風孔若しくは通風切り欠きを介して可動板上下の通風が可能となる。この結果、たとえば可動板上に載置した身体の「蒸れ」や、載置した布団などの「湿り」を有効に抑制することができる。
【００１０】
（請求項３記載の発明の特徴）
請求項３記載の発明に係る身体載置装置（以下、適宜「請求項３の載置装置」という）は、請求項１の載置装置であって、前記可動板の代わりに棒材を用いてある。棒材の材質は問わないが、たとえば、木製や金属製の棒材が好適である。
【００１１】
請求項３の載置装置によれば、棒材が請求項１の可動板と同じ働きをする。すなわち、複数の支持片は支持枠によって支持され、各棒材はクッション材を介して各支持片によって支持される。棒材各々は上から外力を受けたとき、すなわち、身体の部位の重さが加わったときにクッション材の復帰力に抗しながら沈み重さが除かれたときに復帰力によって元の位置に復帰する。棒材同士は独立しているから、加わった重みに応じてその沈み具合が異なる。すなわち、棒材の集合体上面は、載置された身体の形状に合った凹凸が形成され、良好な寝心地座り心地等を実現する。
【００１２】
（請求項４記載の発明の特徴）
請求項４記載の発明に係る身体載置装置（以下、適宜「請求項４の載置装置」という）は、請求項３の載置装置であって、前記棒材各々には、隣接する棒材との間に隙間を形成するためのスペーサーを設けてある。
【００１３】
請求項４の載置装置によれば、請求項３の載置装置の作用効果に加え、スペーサーによって形成された隙間を介して可動板上下の通風が可能となる。この結果、たとえば棒材上に載置した身体の「蒸れ」や、載置した布団などの「湿り」を有効に抑制することができる。
【００１４】
（請求項５記載の発明の特徴）
請求項５記載の発明に係る身体載置装置（以下、適宜「請求項５の載置装置」という）は、請求項１ないし４いずれかの載置装置が、ベッド若しくは椅子である。
【００１５】
請求項５の載置装置によれば、ベッド若しくは椅子において前記請求項１ないし４いずれかの作用効果を生じさせることができる。
【発明の効果】
【００１６】
本発明に係る身体載置装置によれば、寝心地や座り心地等を良好に保つことができる。
【図面の簡単な説明】
【００１７】
【図１】本発明に係る身体載置装置の実施の形態を示すベッドの斜視図である。
【図２】図１に示すベッドのＡ−Ａ断面図である。
【図３】（ａ）は可動板の正面図であり、（ｂ）は可動板の平面図である。
【図４】（ａ）は可動板の上下関係を示す縦断面図であり、（ｂ）は棒材の上下関係を示す縦断面図である。
【図５】本実施形態の変形例である椅子の斜視図である。
【発明を実施するための形態】
【００１８】
ここで、各図を参照しながら、本発明を実施するための形態（以下、「本実施形態」という）について説明する。ここでは身体載置装置の適用例としてベッドを挙げる。
【００１９】
（ベッドの概略構造）
図１および２に示すように、ベッド１は、支持枠３、支持片５、クッション材７、可動板９を、必須部材とし、脚部４を任意部材とする。各部材は、クッション材７を除いて各々全体を木材により構成してある。クッション材７については後述する。図２において、クッション材７にのみ、ハッチングを付けて示す。
【００２０】
（支持枠及び支持片の構造）
支持枠３は、高さが等しく長さが異なる２枚ずつの厚板（長尺板３ａ，３ａと短尺板３ｂ，３ｂ）を矩形に組み合わせてなり（図１参照）、長尺板３ａ，３ａそれぞれの内側下端には支持片５，５となる角材を固定してある（図２参照）。各支持片５は、各長尺板３ａの長さとほぼ同じ長さを持ち高さは長尺板３ａよりも低くなっている。これにより、支持片５，５は、支持枠３によって支持され支持枠３の幅方向に離して配されている。支持片５の本数は２本であるが、両者間に１本若しくは２本以上の支持片を配してもよい。
【００２１】
（クッション材構造及び材質）
図２に示すように各支持片５の上面には、その上面と同じ幅と長さを持ったクッション材７を貼り付け固定してある。クッション材は、たとえばウレタン材のような弾性部材（エラストマー材）によって構成する。すなわち、外力を受けたときに変形し外力が取り払われたときに元の形に復帰できる部材によりクッション材７を構成する。クッション材７の高さは、後述する可動板９との兼ね合いで決定する。
【００２２】
（可動板の構造）
まず、単体の可動板９について説明する（図１〜３参照）。可動板９は、長尺板３ａ，３ａ間の距離と同じ長さの厚板からなる。可動板９は、高さ方向を縦にしてその上下方向に貫通する切り欠き９ｈを形成してある（図３（ｂ）参照）。上から見た切り欠き９ｈは、可動板９の両端部を除いて長さ方向いっぱいに長い形状をしている。切り欠き９ｈの形成により、上から見た可動板９の両端部は、突起部９ａ，９ａが形成される。図２に示すように可動板９は、クッション材７，７の上に架け渡され、図１に示すように支持片５長手方向に密着した状態で並列載置されている。
【００２３】
（身体への影響）
マットレスや布団等は、クッション性を持っている。一般のベッドの身体を載せる箇所にマットレス等を使用している場合、身体を載せた箇所に圧力がかかり沈むとともに、圧力がかかった箇所に追従して周辺の部分（すなわち、身体が載っていない部分）まで沈む。また、ベッドの身体を載せる箇所に板の間のように平滑で、硬い部材を使用している場合、頭、背中及び尻等の部分に圧力が集中する。上述したようなマットレス等の周辺部分の沈みや頭等の部分への圧力集中により、身体の正常な彎曲を維持することができず、彎曲の乱れや身体の歪みが生じたり、腰等を痛める可能性がある。
【００２４】
（クッション材及び可動板使用の作用）
上述した一般のベッドの問題を解決するためにベッド１ではクッション材７及び可動板９等を使用する。すなわち、クッション材７の弾性により、可動板９は身体の部位の重さが加わったときにクッション材７の復帰力に抗しながら沈み、重さを除いたときに復帰力により元の位置に戻る。可動板９は各々独立しており、図４（ａ）において二点鎖線で示す身体２０の重さ及び形状にあった凹凸を形成する。（図４（ａ）では、可動板９の断面は、ハッチングをつけずに示す。）また、可動板９は高さ方向を縦にして使用しており（図１、２及び４（ａ）参照）、板の厚さ方向を縦にして使用した場合と比べ撓みにくい。つまり、クッション材７及び可動板９の使用により、身体２０にあわせて凹凸を形成すること、撓み難く、適度なクッション性が得られることから、身体２０に過度な負担がかからず、良好な寝心地を実現することができる。
【００２５】
密接した状態で並列載置された可動板９は、図３（ａ）及び（ｂ）に示すように切り欠き９ｈを有しているため、可動板９の上下の通風が可能となる。これにより、載置した身体２０の湿りや載置した布団等の蒸れなどを防止及び除去することができる。さらに、湿気等がこもりにくいため、ダニ等及び臭い等の発生を防ぐことができ、衛生上においても良好である。また、脚部４を用いることで、床と支持片５の間に隙間ができ、さらに通気性が向上させることができる。
【００２６】
並列配置された可動板９が、身体２０の重さ及び形状に合わせて凹凸を形成すること、切り欠き９ｈを有していることから、平滑な面と比べて、可動板９上に置かれるマットレスや布団等は一般のベッドに比べすべりにくくなる。これは、マットレス等が可動板９とともに、身体の重さ及び形状にあわせて凹凸を形成し、マットレス等が押され、可動板９の切り欠き９ｈ内に入るためである。
【００２７】
（可動板の変形例）
可動板９の代わりに、図４（ｂ）に示すような棒材１０を使用することもできる。（図４（ｂ）では、棒材１０の断面は、ハッチングをつけずに示す。）棒材１０の材質は問わないが、たとえば、木製や金属製等の容易に撓まない丸材や角材等の棒材１０を使用することができる。棒材１０はクッション材７を介して、各支持片５により支持される。棒材１０は、各々独立しており、図４（ｂ）にて二点鎖線で示す身体２０の重さ及び形状にあわせて凹凸を形成する。これにより、可動板９と同様に、使用することができる。また、可動板９と同様に通風を可能とするために、各棒材１０の間に上下運動を許容するスペーサー（図示省略）を入れることができる。
【００２８】
（棒材の作用）
上述したように棒材１０は、身体２０の部位の重さが加わったときにクッション材７の復帰力に抗しながら沈み、重さが除かれたときに復帰力によって元の位置に戻る。各棒材１０は、各々独立しているため、身体２０の重み及び形状によって凹凸を形成し、身体２０に過度な負担がかからず、良好な寝心地を実現する。また、上述したように各棒材１０の間にスペーサー（図示省略）を用いることで、各棒材１０の間に隙間が生じるため、隙間を介して棒材１０上下の通風が可能となる。これにより、載置した身体２０の湿りや載置した布団等の蒸れなどを防止及び除去することができる。さらに、湿気等がこもりにくいため、ダニ等及び臭い等の発生を防ぐことができ、衛生上においても良好である。上述した点より、可動板９と同様に使用することができる。
【００２９】
（本実施形態の変形例）
上述した支持枠３、支持片５、クッション材７、可動板９はベッド１だけではなく、図５に示す椅子にも使用することができる。支持枠３´、支持片５´（図示省略）、クッション材７´（図示省略）、可動板９´は図１記載のベッド１に使用されている支持枠３、支持片５等と構造及び作用等はかわらない。そのため、可能な限り詳細な説明は省略する。椅子にクッション材７´及び可動板９´等を用いることにより、尻等の凹凸にあわせて凹凸を形成し、適度なクッション性が得られることから、尻等に過度な負担がかからず、良好な座り心地を実現することができる。また、長時間座ることによる蒸れを防止及び除去をすることができる。
【符号の説明】
【００３０】
１          身体載置装置
２          椅子
３          支持枠
４          脚部
５          支持片
６          背もたれ
７          クッション材
９          可動板
９ａ        突起部
９ｂ        切り欠き
１０        棒状
２０        身体
【図１】
2012016502.tif 000003
【図２】
2012016502.tif 000004
【図３】
2012016502.tif 000005
【図４】
2012016502.tif 000006
【図５】
2012016502.tif 000007